(57)【要約】      （修正有）【課題】構造を簡素化し、並びにブレーキ機構と収納時ロック機構を兼備した手動水切り器を提供する。【解決手段】外容器Ａと、回転自在に組み込まれた水切り中容器Ｂと、二重構造で、外蓋中心に下設した収納筒部１１に嵌挿される筒状軸３１２を備え上方付勢した上下駆動体３１を上下動自在に組み込み、上下駆動体３１の下降動作を回転動作に変換して中蓋Ｂを回転駆動する手動回転機構３を設けた蓋体Ｃで構成される手動水切り器で、手動回転機構３を、上下駆動体３１に螺旋状内周面とした駆動部３１３を設け、軸部より大径の底面部３２１の下面に一方向噛合歯を設けた螺旋シャフト３２を、回転伝達対象の中蓋側に設けた一方向噛合歯上に載置にすると共に、螺旋シャフト底面の上方に螺旋シャフトの上昇阻止部１８を設けて構成した。【選択図】図４
0003185720.tif 000002
【実用新案登録請求の範囲】
【請求項１】
外容器と、外容器内に回転自在に組み込まれた水切り中容器と、外容器に装着される外蓋及び水切り中容器に嵌合連結する中蓋を備えた二重構造で、外蓋中心に下設した収納筒部に嵌挿される筒状軸を備えた上下駆動体を、上方付勢すると共に上下動自在に組み込み、上下駆動体の下降動作を回転動作に変換して中蓋を回転駆動する手動回転機構を設けた蓋体とで構成される手動水切り器であって、前記手動回転機構が、上下駆動体に螺旋状内周面とした駆動部を設け、軸部より大径の底面部の下面に一方向噛合歯を設けた螺旋シャフトを、回転伝達対象の中蓋側に設けた一方向噛合歯上に載置すると共に、螺旋シャフト底面の上方に螺旋シャフトの上昇阻止部を設けてなることを特徴とする手動水切り器。
【請求項２】
螺旋シャフトの底面部と上昇阻止部との間に、一方向噛合部の非噛合時の浮き上がり状態を維持する保持部を設けてなる請求項１記載の手動水切り器。
【請求項３】
中蓋側の一方向噛合歯の外周に内部周壁を形成し、中央にシャフト孔を穿設した皿体を前記内部周壁上に載置すると共に、中央孔内周に螺旋シャフトの細径部に対応する突出を多数周設した柔軟座金を、前記皿体上に積層して保持部を構成してなる請求項２記載の手動水切り器。
【請求項４】
上下駆動体の筒状軸上方に凹段部を設けると共に、上下駆動体下降時の凹段部の位置に対応する箇所の収納筒部に透窓を設け、前記透窓に対して先端部が出没自在に半径方向へスライド自在となる制止操作体を、外蓋上面に設けた操作孔に臨ませて付設して上下駆動体のロック機構を形成し、且つ前記制止操作体が、前方板部と後方板部と中間上下に突設した上方操作部及び下方制動部を備え、前記の前方板部と後方板部を適宜間隔で設けた下方の前後支持部と上方の前後抑え部で保持すると共に、制止操作体の下方撓曲で、下方制動部が中蓋と当接するようにしたブレーキ機構を形成した請求項１乃至３記載の手動水切り器。
【請求項５】
後方板部と下方制動部の境界箇所を肉薄部に形成してなる請求項４記載の手動水切り器。
【考案の詳細な説明】
【技術分野】
【０００１】
本考案は、野菜等の水切りを行う手動水切り器に関するものである。
【背景技術】
【０００２】
手動水切り器は、外容器内に水切り中容器を回転自在に組み込み、中容器と一体に回転するように連結被嵌する中蓋と外容器に被嵌される蓋体（外蓋）を備え、蓋体と中蓋との間に手動回転機構を組み込んでなるものである。
【０００３】
手動回転機構は、特許文献１（特開２００４−７３９２８号公報）に示されるように、蓋体中央の収納筒部内に上方付勢して装着した上下駆動体による上下動を、螺旋シャフト（駆動駒）を介して回転動作に変換すると共に、上方付勢力で上下駆動体が上方復帰する際には、前記の回転変換がなされないように前記駆動駒を付勢発条に予め連結して、下圧を解除した際に回転伝達が解除されるクラッチ機構を付設し、水切り中容器を一定方向に回転させて、水切り容器内に収納した野菜等に付着した水を遠心力で飛ばして水切りを行うものである。
【０００４】
また特許文献２（米国特許５９９２３０９号公報）には、上下駆動体の上下動を制止するロック機構が開示されている。前記ロック機構は、収納筒部内を上下動する上下駆動体の筒状軸の上部に凹部を形成し、蓋体に前記凹部に対して嵌合離脱のスライド移動する制止体を設けているものである。
【０００５】
また特に特許文献３（特表２００８−５３２６９６号公報）には、蓋体（外蓋）に設けて上下駆動体で回転駆動され、惰性で回転している水切り中容器を制動する手段として、蓋体に押圧下動で中蓋の上面を押圧する押圧ボタンを備えたブレーキ機構が開示されている。
【先行技術文献】
【特許文献】
【０００６】
【特許文献１】特開２００４−７３９２８号公報。
【特許文献２】米国特許５９９２３０９号公報。
【特許文献３】特表２００８−５３２６９６号公報。
【考案の概要】
【考案が解決しようとする課題】
【０００７】
前記の従前の手動回転機構は、クラッチ部の構造が煩雑で、製造のコストアップや故障発生の原因となっている。そこで本考案は構造を簡素化した水切り器を提案したものである。
【０００８】
またブレーキ機構及びロック機構について、特許文献３に開示されているブレーキ機構は、単独機能のためにのみ構成されており、特許文献２に示されている上下駆動体のロック機構とは別に設けられている。従って蓋体の表面には、ブレーキ機構とロック機構の各操作部材である押圧ボタンと制止体が設けられていることになり、製造上の煩雑さがあり、またすっきりとしたデザインとは言えない。
【０００９】
そこで本考案は、更にブレーキ機構とロック機構との操作部材が単体で構成した新規な水切り容器を提案したものである。
【課題を解決するための手段】
【００１０】
本考案に係る手動水切り器は、外容器と、外容器内に回転自在に組み込まれた水切の中容器と、外容器に装着される外蓋及び水切り中容器に嵌合連結する中蓋を備えた二重構造で、外蓋中心に下設した収納筒部に嵌挿される筒状軸を備えた上下駆動体を、上方付勢すると共に上下動自在に組み込み、上下駆動体の下降動作を回転動作に変換して中蓋を回転駆動する手動回転機構を設けた蓋体で構成され、特に前記手動回転機構が、上下駆動体に螺旋状とした内周面の駆動部を設け、軸部より大径の底面部の下面に一方向噛合歯を設けた螺旋シャフトを、回転伝達対象の中蓋側に設けた一方向噛合歯上に載置すると共に、螺旋シャフト底面の上方に螺旋シャフトの上昇阻止部を設けてなることを特徴とするものである。
【００１１】
而して前記の手動水切り器は、従前の器具と同様に上下駆動体を下圧して下方移動させると、駆動部で螺旋シャフトを回転させると共に、螺旋シャフトは、駆動部の下圧で一方向噛合歯（クラッチ部）が噛み合い、螺旋シャフトの回転が中蓋に伝達され、中蓋を回転させる。中蓋は水切り中容器と嵌合連結しているので、中蓋の回転と同時に水切り中容器が回転し、所定の水切りを行うものである。また上下駆動体が上昇復帰する際には、駆動部で螺旋シャフトを持ち上げるが、底面部が上昇阻止部に衝突して螺旋シャフトの持ち上がりが阻止され、次回の駆動準備状態に至るものである。
【００１２】
また本考案の請求項２載の手動水切り容器は、特に螺旋シャフトの底面部と上昇阻止部との間に、一方向噛合歯の非噛合時の浮き上がり状態を維持する保持部を設けてなるものであり、請求項３記載の手動水切り器は、前記保持部を、中蓋側の一方向噛合歯（クラッチ部）の外周に内部周壁を形成し、中央にシャフト孔を穿設した皿体を前記内部周壁上に載置すると共に、中央孔内周に螺旋シャフトの細径部に対応する突出を多数周設した柔軟座金を前記皿体上に積層して構成したものである。
【００１３】
前記構成によって、上下駆動体が上昇途中であれば、駆動部で螺旋シャフトが持ち上げられるが、駆動部と螺旋シャフトの螺合が外れると、螺旋シャフトの底面部は単に相手側クラッチ部（中蓋側の一方向噛合部）上に載置されることになり、互いのクラッチ部が噛合歯を越える度に、螺旋シャフトは噛み合い位置から非噛み合い位置の間を細かく上下動することになり、騒音の原因となる。しかし保持部によって僅かに浮いた状態の螺旋シャフトを当該位置に留めておくと、螺旋シャフトの細かな上下動の発生を抑え、騒音の発生が防がれる。
【００１４】
また本考案の請求項４記載の手動水切り器は、前記した回転手動機構を備えると共に、上下駆動体のロック機構と中蓋のブレーキ機構をも備えたものである。
【００１５】
ロック機構は、上下駆動体の筒状軸上方に凹段部を設けると共に、上下駆動体下降時の凹段部の位置に対応する箇所の収納筒部に透窓を設け、前記透窓に対して先端部が出没自在に半径方向へスライド自在となる制止操作体を、外蓋上面に設けた操作孔に臨ませて付設したものである。またブレーキ機構は、制止操作体が、前方板部と後方板部と中間上下に突設した上方操作部及び下方制動部を備え、前方板部と後方板部を、適宜間隔で設けた下方の前後支持部と上方の前後抑え部で保持すると共に、制止操作体の下方撓曲で、下方制動部が中蓋と当接するようにして形成したものである。
【００１６】
前記ロック機構は、上下駆動体を下降させて、透窓と凹段部を一致させ、制止操作体を中心方向へ進出させ、先端部を透窓内に差し入れ、更に中心方向に突出させて、先端部を凹段部上に位置させると、上下駆動体の上方移動が阻止され、上下駆動体の付勢力によって凹段部が先端部を強く圧することになって、上下駆動体の動作が制止され、ロック状態となるものである。
【００１７】
前記のブレーキ機構は、中容器のフリー回転時（上下駆動体による回転力の付与がなされていない状態）に、制止操作体の中間部である上方操作部を下圧すると、制止操作体は、前方板部と後方板部が前後支持部で支持され、前後支持部間は透いている状態であり、上方操作部の下圧によって制止操作体が下方に撓曲し、下方制動部が中蓋の上面と当接し、その摩擦によって中蓋の回転が制動される。
【００１８】
また本考案の請求項５記載の考案は、特に後方板部と下方制動部の境界箇所を肉薄部に形成してなるもので、前記肉薄部によって制止操作体の下方撓曲が容易になされるものである。
【考案の効果】
【００１９】
本考案の構成は上記のとおりで、回転駆動機構に、一方向噛合歯による噛合非噛合によるクラッチ構造を採用して、簡易な構造とすることができたものであり、特に螺旋シャフトの非噛合状態を維持する保持部を設けて、簡易な構造を採用したことによって生ずる騒音の課題を解決したものである。更に制止操作体のスライド操作で上下駆動体の動作を制止し、下圧操作で中蓋及び中容器のフリー回転を制動するもので、単一部材で二機能を具備させることで蓋体の構造を更に簡素化すると共に、蓋体表面のデザインもすっきりさせたものである。
【図面の簡単な説明】
【００２０】
【図１】本考案の実施形態の断面斜視図。
【図２】同要部断面図（螺旋シャフト下方部分）。
【図３】同柔軟座金の斜視図。
【図４】同要部断面図（制止操作体の説明図で使用時を示す）。
【図５】同要部断面図（制止操作体の説明図で制動時を示す）。
【図６】同要部断面図（制止操作体の説明図で上下駆動体制止時を示す）。
【考案を実施するための形態】
【００２１】
次に本発明の実施の形態について説明する。全体の構成は、従前の上下動ハンドルタイプの手動水切り器と同様に、外容器Ａと、中容器Ｂと、蓋体Ｃで構成される。
【００２２】
外容器Ａは、内部中央に中容器Ｂの回転中心となる支持突起０１を設けてなる。中容器Ｂは、水切り可能とした網容器で、底部中心に支持突起０１が収まる凹部０２を形成し、外容器内に回転自在に組み込まれ、上縁に後述する中蓋２の連結板部２１が嵌合する受溝０３を設けてなる。
【００２３】
蓋体Ｃは、外蓋１、中蓋２の二重構造で、手動回転機構３を備えると共に、ロック機構及びブレーキ機構を構成する制止操作体４を組み込んでなり、外蓋１は、外容器に被冠装着されるもので、中心に手動回転機構３を組み込む収納筒部１１を設け、前記収納筒部に隣接して制止操作体４を装着する操作孔１２及び制止操作体４を保持する前後支持部１３，１４及び前後抑え部１５，１６を設けたものである。更に後述する収納筒部１１の周壁の所定位置に透窓１７を形成し、収納筒部１１の底面に上昇阻止部１８を設けたものである。
【００２４】
中蓋２は、中容器Ｂに設けた受溝０３に対応する連結板部２１を備え、中容器Ｂに被冠装着した際に、受溝０３に連結板部２１が位置して中蓋２と中容器Ｂが一体に回転するようにした。更に中蓋２は収納筒部１１を囲繞するように設けた伝達筒部２２を備え、伝達筒部２２の底面箇所に、上昇阻止部１８との間に僅かに間隙を有するように立ち上げた内部周壁２３を形成し、前記内部周壁２３内に噛合歯２４を設け、手動回転機構３と連結してなるものである。尚噛合歯２４は、傾斜面と起立面を備えた歯を円形に突設したもので、一方向は噛み合い、逆方向は歯の斜面がよって滑り、非噛合状態となる一方向噛合歯である。
【００２５】
手動回転機構３は、上下駆動体３１と、内装した螺旋シャフト３２と、発条３３と、保持部３４を備え、上下駆動体３１は、上方の押圧部３１１と押圧部３１１の下方に前記収納筒部１１に嵌挿される筒状軸３１２を備え、内部に下降によって螺旋シャフト３２を回転させるシャフト断面形状の駆動部３１３を設け、上昇阻止部１８と押圧部３１１の下面間に介装した発条３３によって全体が上方へ付勢されている。また筒状軸３１２の上部の所定位置には、凹段部３１４を設けている。
【００２６】
螺旋シャフト３２は、適宜な螺旋軸で、軸部より大径の底面部３２１を備え、底面部３２１の下面に噛合歯２４と対応する噛合歯３２２を設け、前記噛合歯２４上に載置して直立させているものである。
【００２７】
保持部３４は、皿体３４１と柔軟座金３４２からなり、皿体３４１は、硬質座金状で、螺旋シャフト３２に外挿して内部周壁２３上に載置したものである。柔軟座金３４２は前記皿体３４１の上に重ねたもので、特に螺旋シャフト３２の軸部の大径部と対応する中央孔３４３の内周面に、螺旋シャフト３２の軸部の細径部に対応する突出部３４４を多数周設したものである。
【００２８】
制止操作体４は、中間上下に上方操作部４１及び下方制動部４２を突設し、前後に前方板部４３と後方板部４４を設け、前方板部４３の先端部４５を嘴状に設け、更に後方板部４４と下方制動部４２の境界箇所を肉薄部４６に形成してなるものである。
【００２９】
前記の制止操作体４は、上方操作部４１が操作孔１２から蓋体Ｃの表面に露出するように組み込んだもので、前方板部４３及び後方板部４４は、下方制動部４２が中蓋２の上面に近接させるように、前記操作孔１２を形成した個所に、適宜間隔で設けた前後支持部１３，１４上に載置し、且つ制止操作体４が操作孔１２から上方へ抜け出ないように前方板部４３及び後方板部４４の上方に、前方抑え部１５及び後方抑え部１６をそれぞれ配設してなるものである。
【００３０】
而して前記の手動水切り器は、従前の器具同様に上下駆動体３１を下圧して下方移動すると、螺旋シャフト３２に対して下圧が加えられ、同時に回転する。従って噛合歯２４，３２２が噛み合い、螺旋シャフト３２の回転が中蓋２に伝達され、中蓋２を回転させ、中蓋２は水切り中容器Ｂと嵌合連結しているので、中蓋２の回転と同時に水切り中容器Ｂが回転する。この中容器Ｂの回転によって収納された野菜等に付着した水滴が遠心力で中容器外へ飛ばされ、水切りが行われるものである。
【００３１】
また上下駆動体３１が発条３３の付勢力で上昇復帰する際には、駆動部３１３で螺旋シャフト３２を持ち上げられて、噛合歯２４，３２２の噛み合いが解除される。同時に僅かに持ち上がった螺旋シャフト３２は、直ぐにその上昇が阻止される。即ち内部周壁２３と上昇阻止部１８との間に設けられている皿体３４１及び柔軟座金３４２に、持ち上がった螺旋シャフト３２の底面部３２１が衝突して、それ以上の螺旋シャフト３２の上昇が阻止されることになる。
【００３２】
前記の阻止状態においては、柔軟座金３４２の突出部３４４が螺旋シャフト３２の軸部と噛み合っているので、駆動部３１３による螺旋シャフト３２の持ち上げ作用が終了しても、柔軟座金３４２と皿体３４１はそのまま内部周壁２３上に載置されているので、前記の僅かな持ち上げ状態が維持されることになる。従って噛合歯２４，３２２が僅かに離れた状態が維持され、騒音を発生させることなく中蓋２及び中容器Ｂは惰性回転がなされることになる。
【００３３】
発条３３の復帰力で上方突出状態に復帰した上下駆動体３１を再度押し込むことを繰り返すことで容易に連続して水切り回転を行うものである。
【００３４】
水切り作業を終えると、上下駆動体３１の上下動操作を停止するが、中蓋２及び中容器Ｂはフリーな状態で回転を継続している。そこで制止操作体４の上方操作部４１を下圧すると、制止操作体４の前方板部４３と後方板部４４は、前後支持部１３，１４間に架設状態で支持されているので、前記下圧によって制止操作体４が下方へ撓曲する。特に肉薄部４６によって前記撓曲が容易に行うことができる。その結果下方制動部４２が中蓋２の上面と当接し、その摩擦によって中蓋２の回転が制動される。
【００３５】
また器具を収納する際には、突出状態の上下駆動体３１を、発条３３の付勢力に抗して収納する必要がある。そこで上下駆動体３１を下降させて、透窓１７と凹段部３１４を一致させ、制止操作体４を中心方向へ進出させ、先端部４５を透窓１７内に差し入れ、更に中心方向に突出させて、先端部４５を凹段部３１４上に位置させると、上下駆動体３１の上方移動が阻止され、発条３３の付勢力によって凹段部３１４で先端部４５を強く圧することになって、上下駆動体３１が下降した状態でロックされることになる。
【符号の説明】
【００３６】
Ａ        外容器
０１      支持突起
Ｂ        中容器
０２      凹部
０３      受溝
Ｃ        蓋体
１        外蓋
１１      収納筒部
１２      操作孔
１３      前方支持部
１４      後方支持部
１５      前方抑え部
１６      後方抑え部
１７      透窓
１８      上昇阻止部
２        中蓋
２１      連結板部
２２      伝達筒部
２３      内部周壁
２４      噛合歯
３        手動回転機構
３１      上下駆動体
３１１    押圧部
３１２    筒状軸
３１３    駆動部
３１４    凹段部
３２      螺旋シャフト
３２１    底面部
３２２    噛合歯
３３      発条
３４      保持部
３４１    皿体
３４２    柔軟座金
３４３    中央孔
３４４    突出部
４        制止操作体
４１      上方操作部
４２      下方制動部
４３      前方板部
４４      後方板部
４５      先端部
４６      肉薄部
【図１】
0003185720.tif 000003
【図２】
0003185720.tif 000004
【図３】
0003185720.tif 000005
【図４】
0003185720.tif 000006
【図５】
0003185720.tif 000007
【図６】
0003185720.tif 000008